(57)【要約】【課題】流速又は流量の適切な測定範囲を選択することのできる分流式流量計を提供する。【解決手段】流体が流れる主流路１１と主流路１１に通じる分流孔４ａ，４ｂとが設けられた主流路保持体１０と、分流孔４ａ，４ｂを介して主流路１１と連通する分流路２５が設けられた分流路保持体３０と、分流孔４ａ，４ｂに着脱可能であって、主流路１１を流れる流体と分流路２５を流れる流体との比を表す分流比を設定するための分流比設定部材４１と、を備える。【選択図】図２
2011075429.tif 000002
【特許請求の範囲】
【請求項１】
流体が流れる主流路と前記主流路に通じる分流孔とが設けられた主流路保持体と、
前記分流孔を介して前記主流路と連通する分流路が設けられた分流路保持体と、
前記分流孔に着脱可能であって、前記主流路を流れる流体と前記分流路を流れる流体との比を表す分流比を設定するための分流比設定部材と、を備える
ことを特徴とする分流式流量計。
【請求項２】
前記分流比設定部材は、前記分流孔に取り付けられたときに所定の断面積を有する開口部を形成する
ことを特徴とする請求項１に記載の分流式流量計。
【請求項３】
前記分流路保持体は、前記主流路保持体に着脱可能であり、
前記分流比設定部材は、前記分流孔の分流路側に配置される
ことを特徴とする請求項１又は２に記載の分流式流量計。
【請求項４】
前記所定の断面積は、前記分流孔における主流路側の開口の断面積より小さい
ことを特徴とする請求項１乃至３の何れか一項に記載の分流式流量計。
【請求項５】
前記分流路を流れる流体の流量を検出するための流れセンサと、
前記流れセンサにより検出された流体の流量と前記分流比とに基づいて、前記主流路を流れる流体の流量を算出する算出手段と、をさらに備える
ことを特徴とする請求項１乃至４の何れか一項に記載の分流式流量計。
【請求項６】
前記分流比に関する情報を記憶するための記憶手段をさらに備える
ことを特徴とする請求項５に記載の分流式流量計。
【請求項７】
前記分流孔に着脱可能であって、前記流体を濾過するための濾過部材をさらに備える
ことを特徴とする請求項１乃至６の何れか一項に記載の分流式流量計。
【請求項８】
前記濾過部材は、前記分流孔の主流路側に配置される
ことを特徴とする請求項７に記載の分流式流量計。
【請求項９】
前記濾過部材は、多孔質の物質を含む
ことを特徴とする請求項７又は８に記載の分流式流量計。
【発明の詳細な説明】
【技術分野】
【０００１】
本発明に係るいくつかの態様は計測技術に関し、特に分流式流量計に関する。
【背景技術】
【０００２】
従来、分流式流量計として、主流路の断面略中央部に位置する一対の分流孔（入口及び出口）を備え、一方の分流孔から他方の分流孔（入口から出口）に至る分流路（バイパス流路）が形成され、分流路を流れる流体の流量と主流路を流れる流体の流量との比（以下、分流比という）に基づいて、主流路に流れる流体の流量を測定するようにしたものが知られている（例えば、特許文献１参照）。
【先行技術文献】
【特許文献】
【０００３】
【特許文献１】特開２００５−３００３６５号公報
【発明の概要】
【発明が解決しようとする課題】
【０００４】
一般に、流量計が測定可能な流体の流速又は流量の範囲は限られている。よって、配管などに流量計を設置する場合、配管に流れる流体の予測される流速又は流量に対応する測定範囲を有する流量計をあらかじめ選定する必要がある。
【０００５】
しかしながら、配管に流量計を設置した後に、配管を流れる流体の流速又は流量が、予測よりも少なくなったり、あるいは多くなったりして、流量計の測定範囲を超えてしまうことがある。この場合、従来の分流式流量計では、流速又は流量の測定範囲を選択することができないので、分流式流量計を交換する必要があった。このため、交換するための工事などのコストが高いという問題があった。また、予測される流速又は流量に対して十分に広い測定範囲の分流式流量計を設置する場合、測定可能な最大値（フルスケール）に対して低い流速、又は少ない流量の領域で測定が行われる機会が多くなるので、測定精度が低い傾向にあった。
【０００６】
本発明のいくつかの態様は前述の問題に鑑みてなされたものであり、流速又は流量の適切な測定範囲を選択することのできる分流式流量計を提供することを目的の１つとする。
【課題を解決するための手段】
【０００７】
本発明に係る分流式流量計は、流体が流れる主流路と主流路に通じる分流孔とが設けられた主流路保持体と、分流孔を介して主流路と連通する分流路が設けられた分流路保持体と、分流孔に着脱可能であって、主流路を流れる流体と分流路を流れる流体との比を表す分流比を設定するための分流比設定部材と、を備える。
【０００８】
かかる構成によれば、分流孔に着脱可能であって、分流比を設定するための分流比設定部材を備える。これにより、分流路を流れる流体の流速若しくは流量が測定範囲を超える場合、又は分流路を流れる流体の流速若しくは流量が測定可能な最大値（フルスケール）に対して低い流速、若しくは少ない流量の場合に、分流比の異なる分流比設定部材に交換（取り外し及び取り付け）することで、分流比を変更することができる。
【０００９】
好ましくは、分流比設定部材は、分流孔に取り付けられたときに所定の断面積を有する開口部を形成する。
【００１０】
かかる構成によれば、分流比設定部材は、分流孔に取り付けられたときに所定の断面積を有する開口部を形成する。ここで、分流比設定部材によって形成された開口部が比較的小さい断面積を有する場合、開口部によって分流孔における流体の流通が制限される（流れが遅くなる）。一方、分流比設定部材によって形成された開口部が比較的大きい断面積を有する場合、開口部によって分流孔における流体の流通が促進される（流れが速くなる）。よって、開口部の断面積が異なる分流比設定部材に交換することで、分流比を容易に変更することができる。これにより、流速又は流量の適切な測定範囲を容易に選択することができる。
【００１１】
好ましくは、分流路保持体は、主流路保持体に着脱可能であり、分流比設定部材は、分流孔の分流路側に配置される。
【００１２】
かかる構成によれば、分流路保持体は主流路保持体に着脱可能であり、分流比設定部材は分流孔の分流路側に配置される。これにより、分流路保持体を主流路保持体から取り外すことで、分流孔の分流路側に配置された分流比設定部材を容易に交換することができる。また、主流路保持体を配管などに設置（固定）したまま分流比を変更することができ、測定範囲を選択するためのコストを更に低減することができる。
【００１３】
好ましくは、所定の断面積は、分流孔における主流路側の開口の断面積より小さい。
【００１４】
かかる構成によれば、分流孔における分流路側の開口部の断面積は、主流路側の開口の断面積より小さい。これにより、分流路側の開口部によって分流孔における流体の流通を制御しやすくなる。
【００１５】
好ましくは、分流路を流れる流体の流量を検出するための流れセンサと、流れセンサにより検出された流体の流量と分流比とに基づいて、主流路を流れる流体の流量を算出する算出手段と、をさらに備える。
【００１６】
かかる構成によれば、流れセンサにより検出された流体の流量と分流比とに基づいて、主流路を流れる流体の流量が算出される。これにより、分流比設定部材によって適切な分流比が設定されるので、分流路を流れる流体の流量を流れセンサにおける検出可能範囲内又は精度の高い検出範囲内にすることができる。これにより、主流路を流れる流体の流量を正確に算出することができ、流量の測定精度を向上させることができる。
【００１７】
好ましくは、分流比に関する情報を記憶するための記憶手段をさらに備える。
【００１８】
かかる構成によれば、分流比に関する情報が記憶される。これにより、分流比設定部材によって設定された分流比に関する情報が記憶されるので、分流比設定部材を交換したときに分流比に関する情報を記憶することで、以後、算出手段は、記憶手段に記憶された分流比に関する情報に基づいて、主流路を流れる流体の流量を算出することが可能となる。
【００１９】
好ましくは、分流孔に着脱可能であって、流体を濾過するための濾過部材をさらに備える。
【００２０】
かかる構成によれば、分流孔に着脱可能であって、流体を濾過するための濾過部材を備える。ここで、流体がゴミ・塵・埃などのダストや、液体微粒子などのミストを含む場合に、分流孔にダストやミストが付着することがある。よって、濾過部材を分流孔に取り付けることにより、分流孔を流通する流体に含まれるダストやミストを取り除くことができる。これにより、濾過部材を分流孔から取り外すことにより、濾過部材により取り除かれた分流孔のダストを容易に除去することができ、例えば、定期的に分流孔を清掃・洗浄したり分流比設定部材を交換したりする手間を省くことができ、メンテナンス性（メンテナンスのしやすさ）を向上させることができる。
【００２１】
好ましくは、濾過部材は、分流孔の主流路側に配置される。
【００２２】
かかる構成によれば、濾過部材は、分流孔の主流路側に配置される。これにより、分流孔の分流路側の開口部の手前で、分流孔を流通する流体に含まれるダストやミストを取り除くことができる。これにより、分流路設定部材によって設定される分流比を容易に維持することができ、流量の測定精度低下を防止することができる。
【００２３】
好ましくは、濾過部材は、多孔質の物質を含む。
【００２４】
かかる構成によれば、濾過部材は、多孔質の物質を含む。これにより、濾過部材によって、分流孔を流通する流体に含まれるダストやミストを効率良く取り除くことができる。
【発明の効果】
【００２５】
本発明に係る分流式流量計によれば、分流路を流れる流体の流速若しくは流量が測定範囲を超える場合、又は分流路を流れる流体の流速若しくは流量が測定可能な最大値（フルスケール）に対して低い流速、若しくは少ない流量の場合に、分流比の異なる分流比設定部材に交換（取り外し及び取り付け）することで、分流比を変更することができる。これにより、適切な分流比を設定するができ、流速又は流量の適切な測定範囲を選択することができる。また、分流式流量計自体を交換することなく、分流路設定部材の交換で済み、測定範囲を選択するためのコストを低減することができる。
【図面の簡単な説明】
【００２６】
【図１】本発明の第１実施形態における分流式流量計の斜視図である。
【図２】図１に示した分流式流量計の側方断面図である。
【図３】図１に示した主流路保持体の上面図である。
【図４】図３に示したＩＩＩ−ＩＩＩ線矢視方向断面図である。
【図５】図３に示したＩＶ−ＩＶ線矢視方向断面図である。
【図６】図１に示した分流路保持体の下面図である。
【図７】図２に示した流れセンサの斜視図である。
【図８】図７に示したＶＩＩ−ＶＩＩ線矢視方向断面図である。
【図９】図２に示した分流孔の拡大側方断面図である。
【図１０】図９に示した分流比設定部材の斜視図である。
【図１１】本発明の第２実施形態における分流式流量計の側方断面図である。
【図１２】図１１に示した分流孔の拡大側方断面図である。
【発明を実施するための形態】
【００２７】
以下に本発明の実施の形態を説明する。以下の図面の記載において、同一又は類似の部分には同一又は類似の符号で表している。但し、図面は模式的なものである。したがって、具体的な寸法などは以下の説明を照らし合わせて判断するべきものである。また、図面相互間においても互いの寸法の関係や比率が異なる部分が含まれていることは勿論である。
【００２８】
（第１実施形態）
図１乃至図１０は、本発明に係る分流式流量計の第１実施形態を示すものである。図１は、本発明の第１実施形態における分流式流量計の斜視図である。図１に示すように、分流式流量計１は、主流路１１が設けられた主流路保持体１０と、主流路保持体１０上に設置された分流路保持体３０と、を備える。また、分流式流量計１は、分流路保持体３０の上部に配置された表示装置３５を備える。表示装置３５は、例えばＬＥＤなどの発光体や液晶ディスプレイなどから構成される。
【００２９】
図２は、図１に示した分流式流量計の側方断面図である。分流路保持体３０には、分流路２５が設けられており、分流路保持体３０の形状は、例えば板状、又はブロック状である。また、分流路保持体３０は、後述する流れセンサ８と、内部に配置された、中央演算処理装置（以下、ＣＰＵという）３００、入力装置２５１、及び記憶装置４００と、を備える。入力装置２５１は、入力キーなどの入力手段を有しており、各種設定や情報を入力可能に構成される。記憶装置４００は、分流比に関する情報を記憶するためのものであり、ランダムアクセスメモリ（以下、ＲＡＭという）などの揮発性メモリなどから構成される。ＣＰＵ３００には、流れセンサ８、入力装置２５１、記憶装置４００、及び表示装置３５が電気的に接続されている。また、ＣＰＵ３００は、主流路１１を流れる流体の流量を算出するための算出回路３０１を有する。なお、図２に示す分流路保持体３０は、模式的に描かれており、実際には、マイクロプロセッサ、ＲＡＭ、リードオンリメモリ（ＲＯＭ）、Ｉ／Ｏ回路などをさらに備える。
【００３０】
図３は、図１に示した主流路保持体の上面図であり、図４は、図３に示したＩＩＩ−ＩＩＩ線矢視方向断面図であり、図５は、図３に示したＩＶ−ＩＶ線矢視方向断面図である。図３に示すように、主流路保持体１０の上面には、楕円状の凹部１６が設けられている。凹部１６には、主流路１１に通じる一対の分流孔４ａ，４ｂが設けられている。すなわち、図５に示すように、分流孔４ａは、凹部１６の底面から主流路１１の内壁（内面）に貫通している。また、図示を省略するが、分流孔４ｂも同様に、凹部１６の底面から主流路１１の内壁（内面）に貫通している。これにより、図４に示すように、分流孔４ａは凹部１６から主流路１１の上流に連通し、分流孔４ｂは凹部１６から主流路１１の下流に連通する。なお、図２乃至図５に示すように、一対の分流孔４ａ，４ｂには、後述する分流比設定部材４１がそれぞれ設置される。
【００３１】
図１に示す六面体の主流路保持体１０において、図４に示すように、対向する二面に、注入口１３及び排出口１４が設けられている。注入口１３及び排出口１４のそれぞれには、ガスや液体などの流体を通す配管（図示せず）が挿入される。流路保持体１０の内部に設けられた主流路１１は、注入口１３から排出口１４に貫通している。主流路１１は、注入口１３及び排出口１４に接続された配管と連通し、注入口１３から流入した流体を排出口１４から流出する。主流路１１の一部には、主流路１１の内径を狭める差圧発生構造１２が設けられている。差圧発生構造１２によって、主流路１１の注入口１３側と排出口１４側の間で、流体の流速に応じた差圧が発生する。差圧発生構造１２は、例えばオリフィス又はベンチュリーである。本願では、主流路１１の差圧発生構造１２より注入口１３側を「上流」といい、主流路１１の差圧発生構造１２より排出口１４側を「下流」という。なお、主流路保持体１０の材料には、金属又は樹脂などが使用可能である。
【００３２】
図６は、図１に示した分流路保持体の下面図である。図２に示したように、分流路保持体３０は、主流路保持体１０に取り付けられたときに、図３乃至図５に示す凹部１６を覆うように配置される。分流路２５は、主流路保持体１０に対向する面、すなわち図６に示すように、分流路保持体３０の下面に設けられる。また、分流路２５は、図３乃至図５に示す楕円状の凹部１６と同一又は略同一の輪郭を有する凹部である。図２に示したように、分流路２５は、一対の分流孔４ａ，４ｂを介して主流路１１と連通する。なお、分流路保持体３０を主流路保持体１０に取り付けたときに、分流路保持体３０に覆われた凹部１６が分流路２５の一部をなしてもよい。分流路２５には、分流路２５を流れる流体の流量を検出するための流れセンサ８が設けられている。
【００３３】
図７は、図２に示した流れセンサの斜視図であり、図８は、図７に示したＶＩＩ−ＶＩＩ線矢視方向断面図である。図７及び図８に示すように、流れセンサ８は、キャビティ６６が設けられた基板６０、基板６０上にキャビティ６６を覆うように配置された絶縁膜６５、絶縁膜６５に設けられたヒータ６１、ヒータ６１より上流側に設けられた上流側測温抵抗素子６２、ヒータ６１より下流側に設けられた下流側測温抵抗素子６３、及び上流側測温抵抗素子６２より上流側に設けられた周囲温度センサ６４を備える。
【００３４】
図８に示す絶縁膜６５のキャビティ６６を覆う部分は、断熱性のダイアフラムをなしている。周囲温度センサ６４は、図２に示す分流路２５に流入してきた流体の温度を測定する。図７及び図８に示すヒータ６１は、キャビティ６６を覆う絶縁膜６５の中心に配置されており、分流路２５に流れる流体を、周囲温度センサ６４が計測した温度よりも一定温度、例えば１０℃高くなるよう、加熱する。上流側測温抵抗素子６２はヒータ６１より上流側の温度を検出するために用いられ、下流側測温抵抗素子６３はヒータ６１より下流側の温度を検出するために用いられる。
【００３５】
ここで、図２に示す分流路２５中の流体が静止している場合、図７及び図８に示すヒータ６１で加えられた熱は、上流方向と下流方向へ対称的に拡散する。したがって、上流側測温抵抗素子６２及び下流側測温抵抗素子６３の温度は等しくなり、上流側測温抵抗素子６２及び下流側測温抵抗素子６３の電気抵抗は等しくなる。これに対し、図２に示す分流路２５中の流体が上流から下流に流れている場合、図７及び図８に示すヒータ６１で加えられた熱は、下流方向に運ばれる。したがって、上流側測温抵抗素子６２の温度よりも、下流側測温抵抗素子６３の温度が高くなる。そのため、上流側測温抵抗素子６２の電気抵抗と、下流側測温抵抗素子６３の電気抵抗に差が生じる。下流側測温抵抗素子６３の電気抵抗と上流側測温抵抗素子６２の電気抵抗の差は、図２に示す分流路２５中の流体の速度と相関関係がある。そのため、下流側測温抵抗素子６３の電気抵抗と上流側測温抵抗素子６２の電気抵抗の差から、分流路２５を流れる流体の流量が求められる。
【００３６】
図７及び図８に示す基板６０の材料としては、シリコン（Ｓｉ）などが使用可能である。絶縁膜６５の材料としては、酸化ケイ素（ＳｉＯ2）などが使用可能である。キャビティ６６は、異方性エッチングなどにより形成される。また、ヒータ６１、上流側測温抵抗素子６２、下流側測温抵抗素子６３、及び周囲温度センサ６４のそれぞれの材料には白金（Ｐｔ）などが使用可能であり、リソグラフィ法などにより形成可能である。
【００３７】
流れセンサ８により検出された分流路２５を流れる流体の流量は、図２に示すＣＰＵ３００の算出回路３０１に出力される。また、分流比に関する情報、例えば分流比の値は、ユーザ又はエンジニアによって図２に示す入力装置２５１から入力される。入力装置２５１により入力された分流比の値は、ＣＰＵ３００の算出回路３０１により記憶装置４００に書き込まれて記憶される。なお、分流比に関する情報は、パーソナルコンピュータなどを介して記憶装置４００に記憶するようにしてもよい。
【００３８】
分流式流量計１が主流路１１を流れる流体の流量を測定する際、算出回路３０１は、あらかじめ記憶された分流比に関する情報を、記憶装置４００から読み出す。次に、算出回路３０１は、記憶装置４００から読み出した分流比に関する情報と、流れセンサ８から入力される分流路２５を流れる流体の流量とに基づいて、主流路１１を流れる流体の流量を算出する。表示装置３５は、算出回路３０１が記憶装置４００から読み出した分流比に関する情報、及び算出回路３０１が算出した主流路１１を流れる流体の流量を表示する。
【００３９】
図９は、図２に示した分流孔の拡大側方断面図である。なお、図９では、分流孔４ａの状態のみを示すが、分流孔４ｂの状態も同様である。よって、分流孔４ｂの状態については、図示及びその説明を省略する。図４に示したように、分流孔４ａ，４ｂのそれぞれの内部には段が設けられており、分流孔４ａ，４ｂのそれぞれの内径は、主流路１１に接続する側が、凹部１６に接続する側よりも狭くなっている。図９に示すように、分流孔４ａには、着脱可能であって、分流比を設定するための分流比設定部材４１が設置される。具体的には、分流比設定部材４１は、凹部１６側（分流路２５側）から挿入され、分流孔４ａの内部の段上に設置される。これにより、分流路２５を流れる流体の流速若しくは流量が測定範囲を超える場合、又は分流路２５を流れる流体の流速若しくは流量が測定可能な最大値（フルスケール）に対して低い流速、若しくは少ない流量の場合に、分流比の異なる分流比設定部材４１に交換（取り外し及び取り付け）することで、分流比を変更することができる。
【００４０】
図１０は、図９に示した分流比設定部材の斜視図である。図１０に示すように、分流比設定部材４１は、空洞部４１ａの内径がＲの円筒形状を有する。図９に示したように、分流比設定部材４１は、分流孔４ａに取り付けられたときに所定の断面積を有する開口部５を形成する。すなわち、図１０に示す空洞部４１ａの断面積Ｓが、開口部５の断面積となる。ここで、分流比設定部材４１によって形成された開口部５が比較的小さい断面積を有する場合、開口部５によって分流孔における流体の流通が制限される（流れが遅くなる）。一方、分流比設定部材４１によって形成された開口部５が比較的大きい断面積を有する場合、開口部５によって分流孔における流体の流通が促進される（流れが速くなる）。よって、開口部５の断面積が異なる分流比設定部材４１に交換することで、分流比を容易に変更することができる。
【００４１】
なお、図９に示す開口部５の断面積は、図１０に示す空洞部４１ａの断面積Ｓ、より具体的には、空洞部４１ａの内径Ｒを変更することで、変更することが可能となり、その結果、分流比を変更することが可能となる。
【００４２】
また、分流路保持体３０が主流路保持体１０に着脱可能である場合、図９に示したように、分流比設定部材４１は、分流孔４ａの凹部１６側（分流路２５側）に配置されることが好ましい。これにより、分流路保持体３０を主流路保持体１０から取り外すことで、分流孔４ａの凹部１６側（分流路２５側）に配置された分流比設定部材４１を容易に交換することができる。
【００４３】
さらに、分流孔４ａにおける凹部１６側（分流路２５側）の開口部５の断面積は、図９に示したように、主流路１１側の開口の断面積より小さいのが好ましい。これにより、凹部１６側（分流路２５側）の開口部５によって分流孔４ａにおける流体の流通を制御しやすくなる。
【００４４】
本実施形態では、分流比設定部材４１は、一対の分流孔４ａ，４ｂの両方に設置するようにしたが、これに限定されない。一対の分流孔４ａ，４ｂのうち少なくとも何れか一方、好ましくは、少なくとも上流側の分流孔４ａに設置するようにすればよい。
【００４５】
また、本実施形態では、一対の分流孔４ａ，４ｂとして、開口が円形のものを示したが、これに限定されず、正四角形（状）や矩形（状）など他の形状であってもよい。
【００４６】
このように、本実施形態に係る分流式流量計１によれば、分流孔４ａ，４ｂに着脱可能であって、分流比を設定するための分流比設定部材４１を備える。これにより、分流路２５を流れる流体の流速若しくは流量が測定範囲を超える場合、又は分流路２５を流れる流体の流速若しくは流量が測定可能な最大値（フルスケール）に対して低い流速、若しくは少ない流量の場合に、分流比の異なる分流比設定部材４１に交換（取り外し及び取り付け）することで、分流比を変更することができる。これにより、適切な分流比を設定するができ、流速又は流量の適切な測定範囲を選択することができる。また、分流式流量計１自体を交換することなく、分流路設定部材４１の交換で済み、測定範囲を選択するためのコストを低減することができる。
【００４７】
また、本実施形態に係る分流式流量計１によれば、分流比設定部材４１は、分流孔４ａ，４ｂに取り付けられたときに所定の断面積を有する開口部５を形成する。ここで、分流比設定部材４１によって形成された開口部５が比較的小さい断面積を有する場合、開口部５によって分流孔における流体の流通が制限される（流れが遅くなる）。一方、分流比設定部材４１によって形成された開口部５が比較的大きい断面積を有する場合、開口部５によって分流孔における流体の流通が促進される（流れが速くなる）。よって、開口部５の断面積が異なる分流比設定部材４１に交換することで、分流比を容易に変更することができる。これにより、流速又は流量の適切な測定範囲を容易に選択することができる。
【００４８】
また、本実施形態に係る分流式流量計１によれば、分流路保持体３０は主流路保持体１０に着脱可能であり、分流比設定部材４１は分流孔４ａ，４ｂの凹部１６側（分流路２５側）に配置される。これにより、分流路保持体３０を主流路保持体１０から取り外すことで、分流孔４ａの凹部１６側（分流路２５側）に配置された分流比設定部材４１を容易に交換することができる。また、主流路保持体１０を配管などに設置（固定）したまま分流比を変更することができ、測定範囲を選択するためのコストを更に低減することができる。
【００４９】
また、本実施形態に係る分流式流量計１によれば、分流孔４ａ，４ｂにおける凹部１６側（分流路２５側）の開口部５の断面積は、主流路１１側の開口の断面積より小さい。これにより、凹部１６側（分流路２５側）の開口部５によって分流孔４ａ，４ｂにおける流体の流通を制御しやすくなる。
【００５０】
また、本実施形態に係る分流式流量計１によれば、流れセンサ８により検出された流体の流量と分流比とに基づいて、主流路１１を流れる流体の流量が算出される。これにより、分流比設定部材４１によって適切な分流比が設定されるので、分流路２５を流れる流体の流量を流れセンサ８における検出可能範囲内又は精度の高い検出範囲内にすることができる。これにより、主流路１１を流れる流体の流量を正確に算出することができ、流量の測定精度を向上させることができる。
【００５１】
また、本実施形態に係る分流式流量計１によれば、分流比に関する情報が記憶される。これにより、分流比設定部材４１によって設定された分流比に関する情報が記憶されるので、分流比設定部材４１を交換したときに分流比に関する情報を記憶することで、以後、算出回路３０１は、記憶装置４００に記憶された分流比に関する情報に基づいて、主流路１１を流れる流体の流量を算出することが可能となる。
【００５２】
（第２実施形態）
図１１及び図１２は、本発明に係る分流式流量計の第２実施形態を説明するためのものである。なお、特に記載がない限り、前述した第１実施形態と同一構成部分は同一符号をもって表し、その説明を省略する。また、図示しない構成部分は、前述した第１実施形態と同様とする。
【００５３】
第２実施形態と第１実施形態との相違点は、分流式流量計１が濾過部材（フィルター）４２を更に備えることである。
【００５４】
図１１は、本発明の第２実施形態における分流式流量計の側方断面図であり、図１２は、図１１に示した分流孔の拡大側方断面図である。なお、図１２では、分流孔４ａの状態のみを示すが、分流孔４ｂの状態も同様である。よって、分流孔４ｂの状態については、図示及びその説明を省略する。図１１に示すように、一対の分流孔４ａ，４ｂには、それぞれ分流比設定部材４１に加え、着脱可能であって、流体を濾過するための濾過部材４２が設置される。具体的には、図１１に示すように、濾過部材４２は、凹部１６側（分流路２５側）から挿入され、分流孔４ａの内部の段上に設置される。ここで、流体がゴミ・塵・埃などのダストや、液体微粒子などのミストを含む場合に、分流孔４ａ，４ｂにダストやミストが付着することがある。よって、濾過部材４２を分流孔４ａ，４ｂに取り付けることにより、分流孔４ａ，４ｂを流通する流体に含まれるダストやミストを取り除くことができる。
【００５５】
分流比設定部材４１は、分流孔４ａの凹部１６側から挿入され、濾過部材４２の上に設置される。このように、濾過部材４２は分流孔４ａの主流路１１側に設置される。これにより、分流孔４ａの凹部１６側（分流路２５側）の開口部５の手前で、分流孔４ａを流通する流体に含まれるダストを取り除くことができる。
【００５６】
また、濾過部材４２は、多孔質の物質を含むのが好ましく、多孔質の物質から構成されるのが更に好ましい。これにより、濾過部材４２によって、分流孔４ａを流通する流体に含まれるダストを効率良く取り除くことができる。
【００５７】
本実施形態では、分流比設定部材４１及び濾過部材４２は、一対の分流孔４ａ，４ｂの両方に設置するようにしたが、これに限定されない。一対の分流孔４ａ，４ｂのうち少なくとも何れか一方、好ましくは、少なくとも上流側の分流孔４ａに設置するようにすればよい。
【００５８】
このように、本実施形態に係る分流式流量計１によれば、分流孔４ａ，４ｂに着脱可能であって、流体を濾過するための濾過部材４２を備える。ここで、流体がゴミ・塵・埃などのダストや、液体微粒子などのミストを含む場合に、分流孔４ａ，４ｂにダストやミストが付着することがある。よって、濾過部材４２を分流孔４ａ，４ｂに取り付けることにより、分流孔４ａ，４ｂを流通する流体に含まれるダストやミストを取り除くことができる。これにより、濾過部材４２を分流孔４ａ，４ｂから取り外すことにより、濾過部材４２により取り除かれた分流孔４ａ，４ｂのダストを容易に除去することができ、例えば、定期的に分流孔４ａ，４ｂを清掃・洗浄したり分流比設定部材４１を交換したりする手間を省くことができ、メンテナンス性（メンテナンスのしやすさ）を向上させることができる。
【００５９】
また、本実施形態に係る分流式流量計１によれば、濾過部材４２は、分流孔４ａ，４ｂの主流路１１側に配置される。これにより、分流孔４ａの凹部１６側（分流路２５側）の開口部５の手前で、分流孔４ａを流通する流体に含まれるダストを取り除くことができる。これにより、分流路設定部材４１によって設定される分流比を容易に維持することができ、流量の測定精度低下を防止することができる。
【００６０】
また、本実施形態に係る分流式流量計１によれば、濾過部材４２は、多孔質の物質を含む。これにより、濾過部材４２によって、分流孔４ａ，４ｂを流通する流体に含まれるダストを効率良く取り除くことができる。
【００６１】
なお、前述の各実施形態の構成は、組み合わせたり或いは一部の構成部分を入れ替えたりしたりしてもよい。また、本発明の構成は前述の実施形態のみに限定されるものではなく、本発明の要旨を逸脱しない範囲内において種々変更を加えてもよい。
【符号の説明】
【００６２】
１…分流式流量計
４ａ，４ｂ…分流孔
５…開口部
８…流れセンサ
１０…主流路保持体
１１…主流路
２５…分流路
３０…分流路保持体
４１…分流比設定部材
４２…濾過部材
【図１】
2011075429.tif 000003
【図２】
2011075429.tif 000004
【図３】
2011075429.tif 000005
【図４】
2011075429.tif 000006
【図５】
2011075429.tif 000007
【図６】
2011075429.tif 000008
【図７】
2011075429.tif 000009
【図８】
2011075429.tif 000010
【図９】
2011075429.tif 000011
【図１０】
2011075429.tif 000012
【図１１】
2011075429.tif 000013
【図１２】
2011075429.tif 000014